(57)【特許請求の範囲】
【請求項１】
左枠１１と、左枠１１の後部に固定設置される右枠１２とを含み、前記左枠１１の内部に
滑動接続子５が設けられ、前記左枠１１の前部の内壁に位置限定部３が固定設置され、前
記滑動接続子５と位置限定部３の間に復帰ばね４が套設されており、
前記左枠１１の上部に左枠１１内において滑動接続子５の軸方向の相対滑動を駆動するた
めのクリック部品２が設けられており、前記左枠１１の上部に左枠１１内においてクリッ
ク部品２の上下移動を可能にする移動嵌挿穴１３が開設されており、前記クリック部品２
の下端に左枠１１に係合するための少なくとも１つの係合部材２３が固定設置されており
、
前記左枠１１の内壁に係合部材２３が位置止められ係合する少なくとも１つの止め部材６
が設けられており、
前記滑動接続子５の上部に係合部材２３を変形して止め部材６との係合状態から脱離させ
るための少なくとも１つの嵌合構造が開設されており、
クリック部品２を初回押下すると、係合部材２３の駆動によって滑動接続子５が左枠１１
内の軸方向に沿って前向きに移動して、滑動接続子５と左枠１１との軸方向の間隔を第１
状態まで圧縮させて、係合部材２３が止め部材６内に係り込んで、滑動接続子５と右枠１
２の間の距離が増大し、
クリック部品２を次回押下すると、嵌合溝７が係合部材２３を押出して、係合部材２３が
変形して止め部材６から脱離し、
クリック部品２を解放すると、係合部材２３が復帰ばね４の弾性力作用によって嵌合溝７
に沿って復位して、滑動接続子５と左枠１１の軸方向間隔を最大距離の第２状態まで解放
させて、滑動接続子５と右枠１２の間は元の距離に復位する、
ことを特徴とする押しセルフロック構造。
【請求項２】
前記滑動接続子５は、左枠１１内の底部に滑動接続されるスライダー５１と、スライダー
５１の前部に固定設置される環形の位置決めブロック５２とを含み、前記復帰ばね４が環
形の位置決めブロック５２と位置限定部３の間に位置され、前記スライダー５１が止め部
材６の下側に位置されていることを特徴とする請求項１に記載の押しセルフロック構造。
【請求項３】
前記嵌合構造は、スライダー５１の上部に開設される嵌合溝７と、嵌合溝７に設けられる
第１案内面７１および第２案内面７２とを含み、前記第２案内面７２が第１案内面７１の
内側に位置され、かつ第２案内面７２の頂部と第２案内面７２の下部とが接続されている
ことを特徴とする請求項２に記載の押しセルフロック構造。
【請求項４】
前記クリック部品２は、移動嵌挿穴１３に嵌合する押下ブロック２１と、押下ブロック２
１の底部に固定設置される少なくとも１つの抜き止めブロック２２とを含み、前記抜き止
めブロック２２が係合部材２３の内側に位置され、前記抜き止めブロック２２の右端と左
枠１１の前部の内壁とが接触していることを特徴とする請求項１に記載の押しセルフロッ
ク構造。
【請求項５】
前記抜き止めブロック２２の横長が移動嵌挿穴１３の横断面長さより大きいことを特徴と
する請求項４に記載の押しセルフロック構造。
【請求項６】
前記係合部材２３の下端の外側壁に嵌合構造に滑動接続される第２滑動面２３３が設けら
れ、前記係合部材２３の後側部に第１滑動面２３２が設けられ、前記係合部材２３の後側
上部の内壁に止め部材６にフック係合する係合止め面２３１が設けられていることを特徴
とする請求項１に記載の押しセルフロック構造。
【請求項７】
前記止め部材６は、止め部材６の前側の下部にそれぞれ設けられる案内面６１と止め面６
２を含み、前記止め面６２と止め面６２の間に１つの係合部が形成されており、前記係合
部と係合止め面２３１とが一致することを特徴とする請求項６に記載の押しセルフロック
構造。
【請求項８】
相互に套設される前筒８１と後筒８２を含み、前記前筒８１および後筒８２の内にペン芯
が套設され、前記復帰ばね４がペン芯と前筒８１の間に係り込んでおり、前記クリック部
品２は前筒８１の前部の外壁に設けられ、前筒８１内における後筒８２の軸方向滑動を駆
動するために働き、前記前筒８１の前部の外壁に前筒８１内におけるクリック部品２の上
下移動を可能にするクリック嵌挿穴８３が開設されており、前記少なくとも１つの止め部
材６が前筒８１の前部の内壁に固定設置され、前記嵌合構造が後筒８２の前筒８１内に位
置する一端に設けられていることを特徴とする請求項１に記載の押しセルフロック構造を
備えるクリックペン。
【発明の詳細な説明】
【技術分野】
【０００１】
本発明は、押しセルフロックの技術分野に関して、具体的には、押しセルフロック構造お
よびクリックペンに関する。
【背景技術】
【０００２】
押しセルフロック構造は、生活の各方面で利用されるものである。例えば、コンセントス
イッチや、懐中電灯のクリックスイッチ、クリックペン等があげられる。
【０００３】
従来の押しセルフロック構造は、使用中で容易に使えるために、微小力さえで、押下ボタ
ンをトリッカーできるようにデザインされている。したがって、不意にボタンに触る場合
でも、構造全体を起動させる。このようであれば、特に電気関連のスイッチボタンの場合
では、無駄となる電力浪費をもたらす。一方、子供たちが繰り返して、活動場所内のスイ
ッチボタンを押すことがあるが、このようなクリック動作でボタンの使用寿命を低減させ
る。また、クリックペンの場合は、その使用や携帯では、クリックペン後端のクリック部
品に不意に他物が触ると、ペン先が露出しやすく、物にインクが付着してしまったり、物
によってペン先を損害したりするおそれがある。後者の場合は、ペン先の玉が落下して、
筆記しながらインクが漏れる。
【発明の概要】
【０００４】
１、解決しようとする技術問題
従来の技術における問題に対して、本発明の目的は、押しセルフロック構造を提供するこ
とである。この押しセルフロック構造は、クリック部品を押圧することによって滑動接続
子の右枠中における軸方向移動を実現することができる。さらに滑動接続子によって外接
部品の移動を駆動することによって、外接部品の使用と非使用の両状態切換を実現するこ
とができる。このような構成は、操作が簡易、かつ便利に行え、フレクスィブリィを有す
る。そして、微小外力が加わった時に、クリック部品が右枠中で下方向へ移動し難いため
、構造全体をトリッカーすることが容易に発生しなく、構造を非使用状態に保持すること
ができる。このため、外力のミス操作による不都合などを防止できる。また、本発明のも
う１つの目的は、前記押しセルフロック構造を備えるペンを提供することである。
【０００５】
２、技術方案
上記の問題を解決するために、本発明は以下の技術方案を採用する。
左枠と、左枠の後部に固定設置される右枠とを含み、前記左枠の内部に滑動接続子が設け
られ、前記左枠の前部の内壁に位置限定部が固定設置され、前記滑動接続子と位置限定部
の間に復帰ばねが套設されており、
前記左枠の上部に左枠内における滑動接続子の軸方向相対滑動を駆動するためのクリック
部品が設けられており、前記左枠の上部に左枠内におけるクリック部品の上下移動が可能
な移動嵌挿穴が開設されており、前記クリック部品の下端に左枠に係合するための少なく
とも１つの係合部材が固定設置されており、
前記左枠の内壁に係合部材が位置止められ係合する少なくとも１つの止め部材が設けられ
ており、
前記滑動接続子の上部に係合部材を変形して止め部材との係合状態から脱離させるための
少なくとも１つの嵌合構造が開設されており、
クリック部品を初回押下すると、係合部材の駆動によって滑動接続子が左枠内の軸方向に
沿って前向きに移動して、滑動接続子と左枠との軸方向間隔を第１状態まで圧縮させて、
係合部材が止め部材内に係り込んで、滑動接続子と右枠の間の距離が増大するようにでき
、また
クリック部品を次回押下すると、嵌合溝が係合部材を押出して、係合部材が変形して止め
部材から脱離するようにでき、また
クリック部品を解放すると、係合部材が復帰ばねの弾性力作用によって嵌合溝に沿って復
位して、滑動接続子と左枠の軸方向間隔を最大距離の第２状態まで解放させて、滑動接続
子と右枠の間は元の距離に復位することができる、
ように構成されている、
ことを特徴とする押しセルフロック構造である。
【０００６】
この押しセルフロック構造は、クリック部品を押圧することによって滑動接続子の右枠中
における軸方向移動を実現することができる。さらに滑動接続子によって外接部品の移動
を駆動することによって、外接部品の使用と非使用の両状態切換を実現することができる
。このような構成は、操作が簡易、かつ便利に行え、フレクスィブリィを有する。そして
、微小外力が加わった時に、クリック部品が右枠中で下方向へ移動し難いため、構造全体
をトリッカーすることが容易に発生しなく、構造を非使用状態に保持することができる。
このため、外力のミス操作による不都合などを防止できる。
【０００７】
好ましくは、滑動接続子は、左枠内の底部に滑動接続されるスライダーと、スライダーの
前部に固定設置される環形の位置決めブロックとを含み、復帰ばねが環形の位置決めブロ
ックと位置限定部の間に位置され、スライダーが止め部材の下側に位置されている。この
ようにして、クリック部品を初回押下する過程では、スライダーが左枠上で前向きに移動
するとともに、環形の位置決めブロックが復帰ばねを押出して、スライダーと右枠の間の
距離が増大するようにできる。
【０００８】
好ましくは、嵌合構造は、スライダーの上部に開設される嵌合溝と、嵌合溝に設けられる
第１案内面および第２案内面とを含み、第２案内面が第１案内面の内側に位置され、且つ
第２案内面の頂部と第２案内面の下部とが接続される。このようにして、初期状態では、
係合部材が止め部材の上側に位置され、係合部材がそれぞれ止め部材および第１案内面に
抵触して固定状態を保持するようになっている。クリック部品を初回押下すると、係合部
材と止め部材とがフック係合して、それから、クリック部品を次回押下すると、第２案内
面の案内作用によって、係合部材が止め部材から脱離して、クリック部品が元の位置に復
位するようにできる。
【０００９】
好ましくは、クリック部品は、移動嵌挿穴に嵌合する押下ブロックと、押下ブロック底部
に固定設置される少なくとも１つの抜き止めブロックとを含み、抜き止めブロックが係合
部材の内側に位置され、抜き止めブロックの右端と左枠の前部の内壁とが接触する。この
ようにして、次回クリック部品を押下し、クリック部品を解放すると、復帰ばねの弾性力
作用では、抜き止めブロックはクリック部品を限定するように働いているので、クリック
部品が移動嵌挿穴外へ跳ね飛ぶことが容易に発生しなく、或いは日常の使用中でクリック
部品が左枠外へ落下することが容易に発生しないようにできる。また抜き止めブロックの
一端と左枠とが接触するので、クリック部品の上下移動過程では、抜き止めブロックがク
リック部品を案内するものとして働く。
【００１０】
好ましくは、抜き止めブロックの横長が移動嵌挿穴の横断面長さより大きくする。このよ
うにして、抜き止めブロックの長度が十分であれ得、クリック部品の全体範囲が左枠外へ
滑り落ちることが容易に発生することがない。
【００１１】
好ましくは、係合部材の下端の外側壁に嵌合構造に滑動接続される第２滑動面が設けられ
、係合部材の後側部に第１滑動面が設けられ、係合部材の後側上部の内壁に止め部材にフ
ック係合する係合止め面が設けられている。このようにして、初期状態、即ち係合部材が
止め部材の上側に位置される時において、第１滑動面と止め部材とが抵触し、係合部材の
前端と第１案内面とが抵触する。クリック部品を初回押下する過程では、第２滑動面が第
１案内面に沿って一定の距離にて滑動して、係合止め面と止め部材とが係合するようにで
きる。次回クリック部品を押下すると、第２案内面の案内作用によって、第２滑動面が第
２案内面によって移動するようにできる。
【００１２】
好ましくは、止め部材は、止め部材前側の下部の案内面と止め面にそれぞれ設けられてお
り、止め面と止め面の間に１つの係合部が形成され、係合部と係合止め面とが一致する。
クリック部品を初回押下すると、第１滑動面が案内面に沿って、係合部材と止め部材とが
フック係合するまで下移するようにできる。この時期では、係合止め面と止め面とが抵触
する。
【００１３】
好ましくは、相互に套設される前筒と後筒を含み、前筒および後筒の内にペン芯が套設さ
れ、復帰ばねがペン芯と前筒の間に係り込んでおり、クリック部品は、前筒の前部の外壁
に設けられ、前筒内における後筒の軸方向滑動を駆動するように働くものであり、前筒の
前部の外壁に前筒内におけるクリック部品の上下移動が可能なクリック嵌挿穴が開設され
ており、少なくとも１つの止め部材が前筒前部の内壁に固定設置され、嵌合構造が後筒に
おける前筒内へ位置する一端に設けられている。初期状態では、クリック部品上の係合部
材は、止め部材上側に位置し、ペンの芯が前筒内部に隠れており、ペンの芯を前筒の外に
露出させる必要があるときは、クリック部品を押して、係合部材は第１案内面と案内面に
沿って徐々に下に移動し、止め部材と係合すると、ペン芯が露出し、再度クリック部品を
押して、第２案内面の役割により、係合部材は、止め部材を逸脱して第２案内面に沿って
移動し、このとき復帰ばねは圧縮状態となり、クリック部品を解放した後、復帰ばねの弾
性作用の下で、クリック部品と係合部材は、前筒内に係合部材が移動し、元の位置に回復
する。すなわち、係合部材は案内面と第１案内面との接触があって、このとき、ペン芯が
隠れる。
【００１４】
３、有益な効果
従来の技術に比べて、本発明は、下記の利点を有する。
１）この押しセルフロック構造は、クリック部品を押圧することによって滑動接続子の右
枠中における軸方向移動を実現することができる。さらに滑動接続子によって外接部品の
移動を駆動することによって、外接部品の使用と非使用の両状態切換を実現することがで
きる。このような構成は、操作が簡易、かつ便利に行え、フレクスィブリィを有する。そ
して、微小外力が加わった時に、クリック部品が右枠中で下方向へ移動し難いため、構造
全体をトリッカーすることが容易に発生しなく、構造を非使用状態に保持することができ
る。このため、外力のミス操作による不都合などを防止できる。
２）滑動接続子は、左枠内の底部に滑動接続されるスライダーと、スライダーの前部に固
定設置される環形の位置決めブロックとを含み、復帰ばねが環形の位置決めブロックと位
置限定部の間に位置され、スライダーが止め部材の下側に位置されている。このようにし
て、クリック部品を初回押下する過程では、スライダーが左枠上で前向きに移動するとと
もに、環形の位置決めブロックが復帰ばねを押出して、スライダーと右枠の間の距離が増
大するようにできる。
３）嵌合構造は、スライダーの上部に開設される嵌合溝と、嵌合溝に設けられる第１案内
面および第２案内面とを含み、第２案内面が第１案内面の内側に位置され、且つ第２案内
面の頂部と第２案内面の下部とが接続される。このようにして、初期状態では、係合部材
が止め部材の上側に位置され、係合部材がそれぞれ止め部材および第１案内面に抵触して
固定状態を保持するようになっている。クリック部品を初回押下すると、係合部材と止め
部材とがフック係合して、それから、クリック部品を次回押下すると、第２案内面の案内
作用によって、係合部材が止め部材から脱離して、クリック部品が元の位置に復位するよ
うにできる。
４）クリック部品は、移動嵌挿穴に嵌合する押下ブロックと、押下ブロック底部に固定設
置される少なくとも１つの抜き止めブロックとを含み、抜き止めブロックが係合部材の内
側に位置され、抜き止めブロックの右端と左枠の前部の内壁とが接触する。このようにし
て、次回クリック部品を押下し、クリック部品を解放すると、復帰ばねの弾性力作用では
、抜き止めブロックはクリック部品を限定するように働いているので、クリック部品が移
動嵌挿穴外へ跳ね飛ぶことが容易に発生しなく、或いは日常の使用中でクリック部品が左
枠外へ落下することが容易に発生しないようにできる。また抜き止めブロックの一端と左
枠とが接触するので、クリック部品の上下移動過程では、抜き止めブロックがクリック部
品を案内するものとして働く。
５）抜き止めブロックの横長が移動嵌挿穴の横断面長さより大きくする。このようにして
、抜き止めブロックの長度が十分であれ得、クリック部品の全体範囲が左枠外へ滑り落ち
ることが容易に発生することがない。
６）係合部材の下端の外側壁に嵌合構造に滑動接続される第２滑動面が設けられ、係合部
材の後側部に第１滑動面が設けられ、係合部材の後側上部の内壁に止め部材にフック係合
する係合止め面が設けられている。このようにして、初期状態、即ち係合部材が止め部材
の上側に位置される時において、第１滑動面と止め部材とが抵触し、係合部材の前端と第
１案内面とが抵触する。クリック部品を初回押下する過程では、第２滑動面が第１案内面
に沿って一定の距離にて滑動して、係合止め面と止め部材とが係合するようにできる。次
回クリック部品を押下すると、第２案内面の案内作用によって、第２滑動面が第２案内面
によって移動するようにできる。
７）止め部材は、止め部材前側の下部の案内面と止め面にそれぞれ設けられており、止め
面と止め面の間に１つの係合部が形成され、係合部と係合止め面とが一致する。クリック
部品を初回押下すると、第１滑動面が案内面に沿って、係合部材と止め部材とがフック係
合するまで下移するようにできる。この時期では、係合止め面と止め面とが抵触する。
８）相互に套設される前筒と後筒を含み、前筒および後筒の内にペン芯が套設され、復帰
ばねがペン芯と前筒の間に係り込んでおり、クリック部品は、前筒の前部の外壁に設けら
れ、前筒内における後筒の軸方向滑動を駆動するように働くものであり、前筒の前部の外
壁に前筒内におけるクリック部品の上下移動が可能なクリック嵌挿穴が開設されており、
少なくとも１つの止め部材が前筒前部の内壁に固定設置され、嵌合構造が後筒における前
筒内へ位置する一端に設けられている。初期状態では、クリック部品上の係合部材は、止
め部材上側に位置し、ペンの芯が前筒内部に隠れており、ペンの芯を前筒の外に露出させ
る必要があるときは、クリック部品を押して、係合部材は第１案内面と案内面に沿って徐
々に下に移動し、止め部材と係合すると、ペン芯が露出し、再度クリック部品を押して、
第２案内面の役割により、係合部材は、止め部材を逸脱して第２案内面に沿って移動し、
このとき復帰ばねは圧縮状態となり、クリック部品を解放した後、復帰ばねの弾性作用の
下で、クリック部品と係合部材は、前筒内に係合部材が移動し、元の位置に回復する。す
なわち、係合部材は案内面と第１案内面との接触があって、このとき、ペン芯が隠れる。
【図面の簡単な説明】
【００１５】
【図１】本発明の実施例１の斜視構造模式図。
【図２】本発明の実施例１の断面構造模式図。
【図３】本発明の実施例１の滑動接続子、止め部材および嵌合溝の一部の断面構成模式図。
【図４】本発明の実施例１の滑動接続子の一部の斜視構造模式図。
【図５】本発明の実施例１のクリック部品の一部の斜視構造模式図。
【図６】本発明の実施例１のクリック部品の一部の下から見る斜視構造模式図。
【図７】本発明の実施例１の止め部材の一部の斜視構造模式図。
【図８】本発明の実施例１の止め部材の一部の下から見る斜視構造模式図。
【図９】本発明の実施例２の一部の斜視構造模式図。
【図１０】本発明の実施例２の一部の止め部材和嵌合構造の一部の断面図。
【００１６】
［符号の説明］
１１  左枠
１２  右枠
１３  移動嵌挿穴
２  クリック部品
２１  押下ブロック
２２  抜き止めブロック
２３  係合部材
２３１  係合止め面
２３２  第１滑動面
２３３  第２滑動面
４  復帰ばね
５  滑動接続子
５１  スライダー
５２  環形の位置決めブロック
６  止め部材
６１  案内面
６２  止め面
７  嵌合溝
７１  第１案内面
７２  第２案内面
８１  前筒
８２  後筒
８３  クリック嵌挿穴
【発明を実施するための形態】
【００１７】
以下、図面を用いて、本発明を詳細に説明する。
実施例１
図１〜８に示されるように、左枠１１と、左枠１１の後部に固定設置される右枠１２とを
含み、前記左枠１１の内部に滑動接続子５が設けられ、前記左枠１１の前部の内壁に位置
限定部３が固定設置され、前記滑動接続子５と位置限定部３の間に復帰ばね４が套設され
ており、前記滑動接続子５は、左枠１１内の底部に滑動接続されるスライダー５１と、ス
ライダー５１の前部に固定設置される環形の位置決めブロック５２とを含み、前記復帰ば
ね４が環形の位置決めブロック５２と位置限定部３の間に位置され、前記スライダー５１
が止め部材６の下側に位置されており、クリック部品２の初回押下過程では、スライダー
５１が左枠１１上で前向きに移動するととともに、環形の位置決めブロック５２が復帰ば
ね４を押出して、スライダー５１と右枠１２の間の距離が増大する。
【００１８】
図３と図５〜６に示されるように、左枠１１上部に、左枠１１内における滑動接続子５の
軸方向相対滑動を駆動するためのクリック部品２が設けられており、また左枠１１の上部
に、左枠１１内におけるクリック部品２の上下移動が可能な移動嵌挿穴１３が開設されて
いる。クリック部品２は、移動嵌挿穴１３に嵌合する押下ブロック２１と押下ブロック２
１の底部に固定設置される少なくとも１つのの抜き止めブロック２２とを含み、抜き止め
ブロック２２が係合部材２３の内側に位置され、抜き止めブロック２２の右端と左枠１１
の前部の内壁とが接触する。この場合、次回クリック部品２を押下し、クリック部品２を
解放すると、復帰ばね４の弾性力作用では、抜き止めブロック２２はクリック部品２を限
定するように働いているので、クリック部品２が移動嵌挿穴１３外へ跳ね飛ぶことが容易
に発生することがなく、或いは日常の使用中でクリック部品２が左枠１１外に落下するこ
とが容易に発生することもない。また、抜き止めブロック２２の一端と左枠１１とが接触
するので、クリック部品２の上下移動過程では、抜き止めブロック２２がクリック部品２
を案内するものとして働く。
【００１９】
係合部材２３の下端の外側壁に嵌合構造に滑動接続される第２滑動面２３３が設けられ、
係合部材２３の後側部に第１滑動面２３２が設けられ、係合部材２３の後側上部の内壁に
止め部材６にフック係合する係合止め面２３１が設けられている。初期状態では、即ち係
合部材２３が止め部材６の上側に位置される時では、第１滑動面２３２と止め部材６とが
抵触し、係合部材２３の前端と第１案内面７１とが抵触する。クリック部品２を初回押下
する過程では、第２滑動面２３３が第１案内面７１に沿って一定の距離にて滑動して、係
合止め面２３１と止め部材６とが係合する。また、次回クリック部品２を押下すると、第
２案内面７２の案内作用によって、第２滑動面２３３が第２案内面７２によって移動する
。
【００２０】
図５〜６に示されるように、前記係合部材２３の下端の外側壁に嵌合構造に滑動接続され
る第２滑動面２３３が設けられ、前記係合部材２３の後側部に第１滑動面２３２が設けら
れ、前記係合部材２３の後側上部の内壁に止め部材６にフック係合する係合止め面２３１
が設けられており、初期状態では、即ち係合部材２３が止め部材６の上側に位置される時
では、第１滑動面２３２と止め部材６とが抵触し、係合部材２３の前端と第１案内面７１
とが抵触する。クリック部品を初回押下する過程では、第２滑動面２３３が第１案内面７
１に沿って一定の距離にて滑動して、係合止め面２３１と止め部材６とが係合する。次回
クリック部品２を押下すると、第２案内面７２の案内作用によって、第２滑動面２３３が
第２案内面７２によって移動する。
【００２１】
図３と図７〜８に示されるように、左枠１１の内壁に係合部材２３が位置止められ係合す
る少なくとも１つの止め部材６が設けられ、前記止め部材６は、止め部材６の前側の下部
にそれぞれ設けられる案内面６１と止め面６２を含み、前記止め面６２と止め面６２の間
に１つの係合部が形成されており、前記係合部と係合止め面２３１とが一致し、クリック
部品２を初回押下すると、第１滑動面２３２が案内面６１に沿って、係合部材２３と止め
部材６とがフック係合するまで下移する。この時期では、係合止め面２３１と止め面６２
とが抵触する。
【００２２】
図４に示されるように、滑動接続子５の上部に、係合部材２３が変形して止め部材６との
係合状態から脱離させるための少なくとも１つの嵌合構造が開設されており、嵌合構造は
、スライダーの上部に開設される嵌合溝と、嵌合溝に設けられる第１案内面および第２案
内面とを含み、第２案内面が第１案内面の内側に位置され、且つ第２案内面の頂部と第２
案内面の下部とが接続される。このようにして、初期状態では、係合部材が止め部材の上
側に位置され、係合部材がそれぞれ止め部材および第１案内面に抵触して固定状態を保持
するようになっている。クリック部品を初回押下すると、係合部材と止め部材とがフック
係合して、それから、クリック部品を次回押下すると、第２案内面の案内作用によって、
係合部材が止め部材から脱離して、クリック部品が元の位置に復位するようにできる。
【００２３】
クリック部品２を初回押下すると、係合部材２３の駆動によって滑動接続子５が左枠１１
内の軸方向に沿って前向きに移動して、滑動接続子５と左枠１１との軸方向間隔を第１状
態まで圧縮させて、係合部材２３が止め部材６内に係り込んで、滑動接続子５と右枠１２
の間の距離が増大するようにできる。
【００２４】
クリック部品２をさらに押下すると、嵌合溝７が係合部材２３を押出して、係合部材２３
を変形して止め部材６から脱離させる。即ち、さらにクリック部品２を押下すると、第２
案内面７２の案内作用によって、係合部材２３が漸次的に止め部材６から脱離して、かつ
第２案内面７２に沿って滑動する。
【００２５】
クリック部品２を解放すると、係合部材２３が復帰ばね４の弾性力作用によって嵌合溝７
に沿って復位して、滑動接続子５と左枠１１の軸方向間隔を最大距離の第２状態まで解放
させて、滑動接続子５と右枠１２の間は元の距離に復位することができる。
【００２６】
この押しセルフロック構造は、クリック部品を押圧することによって滑動接続子の右枠中
における軸方向移動を実現することができる。さらに滑動接続子によって外接部品の移動
を駆動することによって、外接部品の使用と非使用の両状態切換を実現することができる
。このような構成は、操作が簡易、かつ便利に行え、フレクスィブリィを有する。そして
、微小外力が加わった時に、クリック部品が右枠中で下方向へ移動し難いため、構造全体
をトリッカーすることが容易に発生しなく、構造を非使用状態に保持することができる。
このため、外力のミス操作による不都合などを防止できる。
【００２７】
実施例２
図９〜１０に示されるように、押しセルフロック構造を備えるクリックペンを提供する。
相互に套設される前筒８１と後筒８２を含み、前記前筒８１および後筒８２の内にペン芯
が套設され、前記復帰ばね４がペン芯と前筒８１の間に係り込んでおり、前記クリック部
品２は前筒８１の前部の外壁に設けられ、前筒８１内における後筒８２の軸方向滑動を駆
動するために働くもので、前記前筒８１の前部の外壁に前筒８１内におけるクリック部品
２の上下移動が可能なクリック嵌挿穴８３が開設されており、前記少なくとも１つの止め
部材６が前筒８１の前部の内壁に固定設置され、前記嵌合構造が後筒８２の前筒８１内へ
位置する一端に設けられている。初期状態では、クリック部品２上の係合部材２３は、止
め部材上側に位置し、ペンの芯が前筒８１内部に隠れており、ペンの芯を前筒８１の外に
露出させる必要があるときは、クリック部品２を押して、係合部材２３は第１案内面７１
と案内面６１に沿って徐々に下に移動し、止め部材６と係合すると、ペン芯が露出し、再
度クリック部品２を押して、第２案内面７２の役割により、係合部材２３は、止め部材６
を逸脱して第２案内面７２に沿って移動し、このとき復帰ばね４は圧縮状態となり、クリ
ック部品２を解放した後、復帰ばね４の弾性作用の下で、クリック部品２と係合部材２３
は、前筒８１内に係合部材２３が移動し、元の位置に回復する。すなわち、係合部材２３
は案内面６１と第１案内面７１との接触があって、このとき、ペン芯が隠れる。
【００２８】
実際によって、ペン芯を前筒８１内に収納するか、または前筒８１外で延伸させるかを選
択できる。さらに適当にペン先を保護できるとともに、携帯も便利である。そして、別設
のキャップを省略できるとともに、微小外力が加わった場合で、ペン先が前筒外へ容易に
伸びなくて、物のインクに汚されることや、ペン先に刺されることなどを防止できる。
【要約】      （修正有）【課題】外力のミス操作による不都合などを防止できる押しセルフロック構造及び同構造を備えるペンを提供する。【解決手段】左枠１１と、該左枠１１の後部に固定設置される右枠１２と、該左枠１１の内部に設けられる滑動接続子５と、該左枠１１の内壁に固定設置される位置限定部３と、該滑動接続子５と該位置限定部３の間に套設される復帰ばね４と、該滑動接続子５の軸方向相対滑動を駆動するための上下移動可能なクリック部品を嵌装する移動嵌挿穴１３とからなり、クリック部品の押下の度に該滑動接続子５の軸方向移動を可能とする押しセルフロック構造、および該押しセルフロック構造による筆記部出没機能を備えるペン。【選択図】図３【図１】
0006829353.tif 000002
【図２】
0006829353.tif 000003
【図３】
0006829353.tif 000004
【図４】
0006829353.tif 000005
【図５】
0006829353.tif 000006
【図６】
0006829353.tif 000007
【図７】
0006829353.tif 000008
【図８】
0006829353.tif 000009
【図９】
0006829353.tif 000010
【図１０】
0006829353.tif 000011